(57)【特許請求の範囲】
【請求項１】
漫画データに係わる統計データを提供する方法において、
制御部が、第１ユーザが第１漫画データを読むときの前記第１ユーザの漫画読書パターンを分析し、第１漫画読書情報を獲得する段階と、
前記制御部が、前記獲得した第１漫画読書情報から第１統計データを生成する段階と、
通信部が、前記生成した第１統計データを外部装置に提供する段階と、を含み、
前記第１漫画読書情報は、前記第１ユーザが、前記第１漫画データの読書中、逆方向にスクロールを行った回数、前記第１ユーザが、前記第１漫画データの読書中、逆方向にスクロールを行ったカットの種類、のうちの少なくとも１つを含む、統計データ提供方法。
【請求項２】
前記獲得する段階は、前記第１ユーザと異なる第２ユーザの漫画読書パターンを分析し、第２漫画読書情報を獲得し、
前記生成する段階は、前記獲得した第２漫画読書情報から第２統計データを生成し、
前記提供する段階は、前記生成した第２統計データを前記第１統計データと区分し、前記外部装置に提供することを特徴とする請求項１に記載の統計データ提供方法。
【請求項３】
前記獲得する段階は、前記第１漫画データと異なる第２漫画データに対して、第１ユーザが読むときの漫画読書パターンを分析し、第３漫画読書情報を獲得し、
前記生成する段階は、前記獲得した第３漫画読書情報から第３統計データを生成し、
前記提供する段階は、前記生成した第３統計データを、前記第１統計データと区分し、前記外部装置に提供することを特徴とする請求項１に記載の統計データ提供方法。
【請求項４】
前記獲得する段階は、前記第１漫画データと同一シリーズの漫画データ、前記第１漫画データと同一ジャンルの漫画データ、または前記第１漫画データと同一漫画家が作成した漫画データに対して、前記第１ユーザが読むときの漫画読書パターンを分析し、前記第１漫画読書情報を獲得することを特徴とする請求項１に記載の統計データ提供方法。
【請求項５】
前記獲得する段階は、前記第１漫画データと同一シリーズの漫画データ、前記第１漫画データと同一ジャンルの漫画データ、または前記第１漫画データと同一漫画家が作成した漫画データに対して、前記第１ユーザが読むときの漫画読書パターンを分析し、第４漫画読書情報を獲得し、
前記生成する段階は、前記第１漫画読書情報及び前記第４漫画読書情報を共に考慮し、前記第１統計データを生成することを特徴とする請求項１に記載の統計データ提供方法。
【請求項６】
前記獲得する段階は、前記第１漫画データの領域別特徴を考慮しながら、前記第１ユーザの漫画読書パターンを分析し、第１漫画読書情報を獲得し、
前記第１漫画データの領域別特徴は、各領域に含まれたカットの個数、カットの内容、テキストの個数、エフェクトの個数、エフェクトの種類、登場物体の個数、登場物体の種類、広告コンテンツを含むか否かということ、または含まれた広告コンテンツの種類のうち少なくとも一つを含むことを特徴とする請求項１に記載の統計データ提供方法。
【請求項７】
前記制御部が、前記第１ユーザの視線位置を検出する段階をさらに含み、
前記第１漫画読書情報は、前記第１ユーザの視線位置を含むことを特徴とする請求項１に記載の統計データ提供方法。
【請求項８】
前記生成する段階は、前記第１漫画読書情報を数値化し、前記第１統計データを生成することを特徴とする請求項１に記載の統計データ提供方法。
【請求項９】
前記生成する段階は、前記第１漫画読書情報自体を前記第１統計データとして決定することを特徴とする請求項１に記載の統計データ提供方法。
【請求項１０】
前記生成する段階は、前記第１ユーザが直接入力した入力情報を考慮して第１統計データを生成し、
前記入力情報は、前記第１ユーザの漫画読書速度、前記第１ユーザの文章読み速度、前記第１ユーザの年齢、前記第１ユーザが好むジャンル、前記第１ユーザが好む場面、または前記第１ユーザが老弱者であるかあるいは妊婦であるかということのうち少なくとも一つを含むことを特徴とする請求項１に記載の統計データ提供方法。
【請求項１１】
前記外部装置は、前記第１ユーザが漫画を読むのに使用する装置、前記第１漫画データの漫画家が漫画を提供するのに使用する装置、または前記第１漫画データを提供するサーバのうち少なくとも一つを含むことを特徴とする請求項１に記載の統計データ提供方法。
【請求項１２】
コンピュータを利用して、請求項１ないし１１のうちいずれか１項に記載の方法を実行させるために媒体に保存されたコンピュータプログラム。
【請求項１３】
第１ユーザが第１漫画データを読むときの前記第１ユーザの漫画読書パターンを分析し、第１漫画読書情報を獲得し、前記獲得した第１漫画読書情報から第１統計データを生成する制御部と、
前記生成した第１統計データを外部装置に提供する通信部と、を含み、
前記第１漫画読書情報は、前記第１ユーザが、前記第１漫画データの読書中、逆方向にスクロールを行った回数、前記第１ユーザが、前記第１漫画データの読書中、逆方向にスクロールを行ったカットの種類、のうちの少なくとも１つを含む、
統計データ提供装置。
【請求項１４】
前記制御部は、前記第１ユーザと異なる第２ユーザの漫画読書パターンを分析し、第２漫画読書情報を獲得し、前記獲得した第２漫画読書情報から第２統計データを生成し、前記生成した第２統計データを、前記第１統計データと区分し、前記外部装置に提供することを特徴とする請求項１３に記載の統計データ提供装置。
【請求項１５】
前記制御部は、前記第１漫画データと異なる第２漫画データに対して、前記第１ユーザが読むときの漫画読書パターンを分析し、第３漫画読書情報を獲得し、前記獲得した第３漫画読書情報から第３統計データを生成し、前記生成した第３統計データを、前記第１統計データと区分し、前記外部装置に提供することを特徴とする請求項１３に記載の統計データ提供装置。
【請求項１６】
前記制御部は、前記第１漫画データと同一シリーズの漫画データ、前記第１漫画データと同一ジャンルの漫画データ、または前記第１漫画データと同一漫画家が作成した漫画データに対して、前記第１ユーザが読むときの漫画読書パターンを分析し、前記第１漫画読書情報を獲得することを特徴とする請求項１３に記載の統計データ提供装置。
【請求項１７】
前記制御部は、前記第１漫画データと同一シリーズの漫画データ、前記第１漫画データと同一ジャンルの漫画データ、または前記第１漫画データと同一漫画家が作成した漫画データに対して、前記第１ユーザが読むときの漫画読書パターンを分析し、第４漫画読書情報を獲得し、前記第１漫画読書情報及び前記第４漫画読書情報を共に考慮し、前記第１統計データを生成することを特徴とする請求項１３に記載の統計データ提供装置。
【請求項１８】
前記制御部は、前記第１漫画データの領域別特徴を考慮しながら、前記第１ユーザの漫画読書パターンを分析し、第１漫画読書情報を獲得し、
前記第１漫画データの領域別特徴は、各領域に含まれたカットの個数、カットの内容、テキストの個数、エフェクトの個数、エフェクトの種類、登場物体の個数、登場物体の種類、広告コンテンツを含むか否かということ、または含まれた広告コンテンツの種類のうち少なくとも一つを含むことを特徴とする請求項１３に記載の統計データ提供装置。
【請求項１９】
前記制御部は、前記第１ユーザの視線位置を検出し、
前記第１漫画読書情報は、前記第１ユーザの視線位置を含むことを特徴とする請求項１３に記載の統計データ提供装置。
【請求項２０】
前記制御部は、前記第１漫画読書情報を数値化し、前記第１統計データを生成することを特徴とする請求項１３に記載の統計データ提供装置。
【請求項２１】
前記制御部は、前記第１漫画読書情報自体を前記第１統計データとして決定することを特徴とする請求項１３に記載の統計データ提供装置。
【請求項２２】
前記制御部は、前記第１ユーザが直接入力した入力情報を考慮して第１統計データを生成し、
前記入力情報は、前記第１ユーザの漫画読書速度、前記第１ユーザの文章読み速度、前記第１ユーザの年齢、前記第１ユーザが好むジャンル、前記第１ユーザが好む場面、または前記第１ユーザが未成年者、老弱者、あるいは妊婦であるか否かということのうち少なくとも一つを含むことを特徴とする請求項１３に記載の統計データ提供装置。
【請求項２３】
前記統計データ提供装置は、前記第１ユーザが漫画を読むのに使用する装置であり、
前記外部装置は、前記第１漫画データの漫画家が漫画を作成するのに使用する装置、第２ユーザが漫画を読むのに使用する装置、または前記第１漫画データを提供するサーバのうち少なくとも一つを含むことを特徴とする請求項１３に記載の統計データ提供装置。
【請求項２４】
前記統計データ提供装置は、前記第１漫画データを提供するサーバであり、
前記外部装置は、前記第１ユーザが漫画を読むのに使用する装置、または前記第１漫画データの漫画家が漫画を作成するのに使用する装置のうち少なくとも一つを含むことを特徴とする請求項１３に記載の統計データ提供装置。
【発明の詳細な説明】
【技術分野】
【０００１】
本発明は、統計データ提供方法及び統計データ提供装置に関する。
【背景技術】
【０００２】
漫画は、ユーモア、滑稽、風刺などを介して、対象の性格を誇張したり省略したりして、人生や社会を風刺、批判したり、独自の興味を沸き起こす絵として、その内容により、純情、武侠、アクション、コミック、スポーツ、ＳＦ（science  fiction）などの多様なジャンルに区分される。漫画は、映像及びテキストという視覚的体系を使用し、複雑な内容を可視的に描くことにより、単に文字だけからなる一般書籍に比べ、読者の関心を引くのにさらに効果的である。
【０００３】
一方、最近には、伝統的な漫画本から外れ、インターネットなどを介して、漫画を読むことができるサービスが提供されている。
【０００４】
前述の背景技術は、発明者が本発明の導出のために保有していたり、本発明の導出過程で習得たりした技術情報であって、必ずしも本発明の出願前に、一般公衆に公開された公知技術とすることはできない。
【発明の概要】
【発明が解決しようとする課題】
【０００５】
ユーザの漫画読書情報を獲得し、獲得した情報から統計データを生成し、生成した統計データを提供する必要がある。互いに異なるユーザ、または互いに異なる漫画データから生成した統計データを互いに区分して提供する必要がある。ユーザの漫画読書時間、反復読書の有無、読書中断の有無、コメント作成の有無、またはフィードバックの有無などを考慮して生成した統計データを提供する必要がある。
【課題を解決するための手段】
【０００６】
本発明の一実施形態は、漫画データに係わる統計データを提供する方法において、制御部が、第１ユーザが第１漫画データを読むときの前記第１ユーザの漫画読書パターンを分析し、第１漫画読書情報を獲得する段階、前記制御部が、前記獲得した第１漫画読書情報から第１統計データを生成する段階、及び通信部が、前記生成した第１統計データを外部装置に提供する段階を含む統計データ提供方法を開示する。
【０００７】
本発明の他の実施形態は、第１ユーザが第１漫画データを読むときの前記第１ユーザの漫画読書パターンを分析し、第１漫画読書情報を獲得し、前記獲得した第１漫画読書情報から第１統計データを生成する制御部、及び前記生成した第１統計データを外部装置に提供する通信部を含む統計データ提供装置を開示する。
【０００８】
前述のところ以外の他の側面、特徴、利点は、以下の図面、特許請求の範囲、及び発明の詳細な説明から明確になるであろう。
【発明の効果】
【０００９】
かような本発明により、ユーザの漫画読書情報を獲得し、獲得した情報から統計データを生成し、生成した統計データを提供する統計データ提供方法及び統計データ提供装置を提供することができる。
【００１０】
また、互いに異なるユーザ、または互いに異なる漫画データから生成した統計データを互いに区分して提供する統計データ提供方法及び統計データ提供装置を提供することができる。
【００１１】
また、ユーザの漫画読書時間、反復読書の有無、読書中断の有無、コメント作成の有無、またはフィードバックの有無などを考慮して生成した統計データを提供する統計データ提供方法及び統計データ提供装置を提供することができる。
【図面の簡単な説明】
【００１２】
【図１】本発明の一実施形態による統計データ提供システムの構成を概略的に図示した図面である。
【図２】本発明の一実施形態による統計データ提供装置の内部構成を概略的に図示したブロック図である。
【図３】本発明の一実施形態による統計データ提供方法を概略的に図示したフローチャートである。
【図４Ａ】漫画データの例示的な形態を概略的に図示した図面である。
【図４Ｂ】漫画データが表示装置上に表示される例示的な形態を概略的に図示した図面である。
【図５Ａ】本発明の一実施形態による統計データ提供装置において、統計データ生成のための漫画読書情報を獲得する例示的な方法を概略的に図示した図面である。
【図５Ｂ】本発明の一実施形態による統計データ提供装置において、統計データ生成のための漫画読書情報を獲得する例示的な方法を概略的に図示した図面である。
【図５Ｃ】本発明の一実施形態による統計データ提供装置において、統計データ生成のための漫画読書情報を獲得する例示的な方法を概略的に図示した図面である。
【図６Ａ】統計データを活用する例示的な方法を概略的に図示した図面である。
【図６Ｂ】統計データを活用する例示的な方法を概略的に図示した図面である。
【発明を実施するための形態】
【００１３】
本発明は、多様な変換を加えることができ、さまざまな実施形態を持つことができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態に具現される。以下の実施形態において、第１、第２のような用語は、限定的な意味ではなく、１つの構成要素を他の構成要素と区別する目的に使用された。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。また、図面においては、説明の便宜のために、構成要素は、その大きさが誇張されていたり縮小されていたりする。例えば、図面に示された各構成の大きさ及び厚みは、説明の便宜のために任意に示されているので、本発明は、必ずしも図示されたところに限定されるものではない。
【００１４】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００１５】
図１は、本発明の一実施形態による統計データ提供システムの構成を概略的に図示した図面である。
【００１６】
図１を参照すれば、本発明の一実施形態による統計データ提供システム１０は、漫画データ表示装置１００を含んでもよい。また、統計データ提供システム１０は、漫画データ提供装置２００を含んでもよい。また、統計データ提供システム１０は、サーバ３００を含んでもよい。また、統計データ提供システム１０は、漫画データ表示装置１００、漫画データ提供装置２００及びサーバ３００を相互連結する通信網４００を含んでもよい。
【００１７】
漫画データ表示装置１００は、漫画データを表示することができる装置でもある。漫画データ表示装置１００は、有線及び／又は無線通信環境で他の装置とデータを送受信することができる通信端末機を意味する。漫画データ表示装置１００は、内部または外部のメモリに存在する漫画データを、漫画データ表示装置１００のディスプレイ部に表示することができる多様な装置を意味する。通信網４００に連結されている漫画データ表示装置１００は、複数でもある。図１においては、漫画データ表示装置１００がスマートフォン形態の第１漫画データ表示装置１００ａ、及びデスクトップ形態の第２漫画データ表示装置１００ｂとして図示されているが、本発明は、それらに限定されるものではない。
【００１８】
具体的には、漫画データ表示装置１００は、スマートフォン、ＰＣ（personal  computer）、タブレットＰＣ、スマートＴＶ（television）、携帯電話、ＰＤＡ（personal  digital  assistant）、ラップトップ、メディアプレイヤ、マイクロサーバ、ＧＰＳ（global  positioning  system）装置、電子書籍端末機、デジタル放送用端末機、ナビゲーション、キオスク、ＭＰ３プレイヤ、デジタルカメラ、ウェアラブル装置、及びその他のモバイルまたは非モバイルのコンピュータ装置でもあるが、本発明は、それらに限定されるものではない。
【００１９】
また、漫画データ表示装置１００は、電子黒板、タッチテーブルのように、タッチ入力を受信することができる多様な装置を含んでもよい。また、漫画データ表示装置１００は、通信機能またはデータプロセッシング機能を具備した時計、めがね、ヘアバンド及び指輪などのアクセサリでもあるが、本発明は、それらに限定されるものではない。
【００２０】
本明細書において、漫画データは、文字（alphabet）、絵または写真など視覚的に認知され、相手に視覚的な形態で情報を伝達することができる客体、または当該客体の集合からなる映像データを意味する。該漫画データは、漫画家によって作成されたデータでもある。該漫画データは、１回に提供される分量の複数の視覚的客体を含んでもよい。１つの漫画データは、１以上のカットを含んでもよい。ここで、該カットは１つの漫画の一場面を含むデータであり、イメージまたはテキストを含む複数のレイヤを含んでもよい。該漫画データの例示的な形態、及び漫画データが漫画データ表示装置１００上に表示される例示的な形態については、図４Ａ及び図４Ｂを介して説明する。
【００２１】
漫画データ表示装置１００は、ディスプレイ部をさらに含んでもよい。該ディスプレイ部は、漫画データを表示し、該漫画データに対するユーザの入力に対応し、該漫画データを移動させることができる。具体的には、該漫画データは、該漫画データ全体がディスプレイ部に一回に表示され難いほどに大きいの映像データでもある。従って、該ディスプレイ部は、一瞬間に漫画データの一部領域のみを表示することができる。また、該ディスプレイ部は、該漫画データをスクロールし、漫画データの他の一部領域を表示することができる。
【００２２】
本明細書において、該漫画データをスクロールする動作は、該漫画データの第１一部領域を漫画データ表示装置１００のディスプレイ部に表示する状態から、第１一部領域と異なる第２一部領域を、漫画データ表示装置１００のディスプレイ部に表示する状態に変更する動作を意味する。該漫画データをスクロールしている最中、第１一部領域または第２一部領域に含まれるカット、または第１一部領域及び第２一部領域の間に配置されるカットが、一定時間以上漫画データ表示装置１００のディスプレイ部に表示される。
【００２３】
漫画データ表示装置１００のディスプレイ部は、液晶ディスプレイ（liquid  crystal  display）、薄膜トランジスタ液晶ディスプレイ（thin  film  transistor-liquid  crystal  display）、有機発光ダイオード（organic  light-emitting  diode）、フレキシブルディスプレイ、三次元（３Ｄ）ディスプレイ、電気泳動ディスプレイ（electrophoretic  display）のうち少なくとも一つを含んでもよいが、本発明の範囲は、それらに限定されるものではない。漫画データ表示装置１００の具現形態により、漫画データ表示装置１００は、ディスプレイ部を２個以上含んでもよい。
【００２４】
漫画データ提供装置２００は、漫画家が漫画データを、漫画データ表示装置１００またはサーバ３００に提供するときに使用する装置でもある。漫画データ提供装置２００は、漫画家が漫画データを直接提供するのに使用する装置でもある。漫画データ提供装置２００は、漫画データの制作を可能にしたり、漫画データの制作を容易にしたりする漫画制作ツールがインストールされた装置でもある。漫画データ提供装置２００は、有線及び／又は無線通信環境において、他の装置とデータを送受信することができる装置を意味する。漫画データ提供装置２００は、漫画データをサーバ３００に提供する装置でもある。通信網４００に連結されている漫画データ提供装置２００は、複数でもある。図１においては、漫画データ提供装置２００がノート型パソコン形態に図示されているが、本発明は、それに限定されるものではない。
【００２５】
具体的には、漫画データ提供装置２００は、スマートフォン、ＰＣ、タブレットＰＣ、スマートＴＶ、携帯電話、ＰＤＡ、ラップトップ、メディアプレイヤ、マイクロサーバ、ＧＰＳ装置、電子書籍端末機、デジタル放送用端末機、ナビゲーション、キオスク、ＭＰ３プレイヤ、デジタルカメラ、ウェアラブル装置、及びその他のモバイルまたは非モバイルのコンピュータ装置でもあるが、本発明は、それらに限定されるものではない。
【００２６】
サーバ３００は、漫画データを漫画データ表示装置１００に提供するサーバでもある。サーバ３００は、漫画データ表示装置１００に提供する漫画データを保存することができる。サーバ３００は、漫画データ提供装置２００から提供される漫画データを保存することができる。図１には、１つのサーバを表示したが、接続量あるいはデータ量により、複数個のサーバが存在することができる。
【００２７】
サーバ３００は、漫画データ表示装置１００のユーザに係わる情報を、漫画データ表示装置１００から伝送されたり、自ら生成したりすることができる。また、サーバ３００は、漫画データ表示装置１００のユーザに係わる情報を保存している。その場合、サーバ３００は、互いに異なる漫画データ表示装置１００を区分し、ユーザに係わる情報を保存することもでき、互いに異なるアカウントを区分し、ユーザに係わる情報を保存することもできる。例えば、サーバ３００は、第１漫画データ表示装置１００ａに係わる第１漫画読書情報を保存することができ、第２漫画データ表示装置１００ｂに係わる第２漫画読書情報を保存することができる。他の例示として、サーバ３００は、第１アカウントに係わる第３漫画読書情報を保存することができ、第２アカウントに係わる第４漫画読書情報を保存することができる。すなわち、サーバ３００は、漫画データが表示される装置が異なるか否かということを基準に、ユーザに係わる情報を区分することもでき、漫画データの表示を要請したアカウントが異なるか否かということを基準に、ユーザに係わる情報を区分することもできる。
【００２８】
サーバ３００は、漫画データに係わるサービス以外にも、一般的な検索サービス、及びその他ユーザの便宜を増進させる多様なサービスを提供することもできる。すなわち、サーバ３００は、漫画データに係わるサービスに加え、検索、電子メール、ブログ、ソーシャルネットワークサービス、ニュース、ショッピング情報提供のような多様なサービスを提供することができる。
【００２９】
または、サーバ３００は、検索、電子メール、ニュース、ショッピングのようなポータルサービスを提供するサーバに連結され、ポータルサービスに情報提供を要請する漫画データ表示装置１００に、ポータルサービスが提供するウェブページを提供するサーバでもある。ここで、サーバ３００とポータルサービス提供サーバは、物理的に分離された別途のサーバでもあり、概念的にだけ分離された同一サーバでもある。
【００３０】
漫画データ表示装置１００またはサーバ３００のうちいずれか一つは、統計データ提供装置でもある。例えば、漫画データ表示装置１００が統計データ提供装置である場合、漫画データ表示装置１００は、ユーザの漫画読書情報を獲得することができ、獲得した情報から統計データを生成することができ、生成した統計データを外部装置に提供することができる。漫画データ表示装置１００が統計データ提供装置である場合、該外部装置は、互いに異なるユーザの漫画データ表示装置１００、漫画データ提供装置２００またはサーバ３００でもある。他の例示において、サーバ３００が統計データ提供装置である場合、サーバ３００は、漫画データ表示装置１００のユーザの漫画読書情報を獲得することができ、獲得した情報から統計データを生成することができ、生成した統計データを外部装置に提供することができる。サーバ３００が該統計データ提供装置である場合、該外部装置は、漫画データ表示装置１００または漫画データ提供装置２００でもある。
【００３１】
通信網４００は、漫画データ表示装置１００、漫画データ提供装置２００及び／またはサーバ３００を連結する役割を行うことができる。すなわち、通信網４００は、漫画データ表示装置１００、漫画データ提供装置２００及び／またはサーバ３００の間で、漫画データまたは統計データを含むデータを送受信することができるように、接続経路を提供する通信網を意味する。通信網４００は、例えば、ＬＡＮｓ（local  area  networks）、ＷＡＮｓ（wide  area  networks）、ＭＡＮｓ（metropolitan  area  networks）、ＩＳＤＮｓ（integrated  service  digital  networks）などの有線ネットワーク；無線ＬＡＮｓ、ＣＤＭＡ（code  division  multiple  access）、ブルートゥース（登録商標（Bluetooth））、衛星通信などの無線ネットワークを網羅することができるが、本発明の範囲は、それらに限定されるものではない。
【００３２】
図２は、本発明の一実施形態による統計データ提供装置の内部構成を概略的に図示したブロック図である。
【００３３】
図２を参照すれば、本発明の一実施形態による統計データ提供システム１０の統計データ提供装置５００は、通信部５１０及び制御部５２０を含んでもよい。
【００３４】
通信部５１０は、漫画データ表示装置１００、漫画データ提供装置２００またはサーバ３００のうち少なくとも一つと有線及び／又は無線通信を行うことができる。通信部５１０は、ブルートゥース通信部、ＢＬＥ（Bluetooth  low  energy）通信部、近距離無線通信部（near  field  communication  unit）、ＷＬＡＮ（Ｗｉ−Ｆｉ（wireless  fidelity））通信部、ジグビー（Zigbee）通信部、赤外線（ＩｒＤＡ：infrared  data  association）通信部、ＷＦＤ（Ｗｉ−Ｆｉ  direct）通信部、ＵＷＢ（ultra  wideband）通信部、Ａｎｔ＋通信部などでもあるが、それらに限定されるものではない。
【００３５】
通信部５１０は、通信網４００上で、漫画データ表示装置１００、漫画データ提供装置２００、サーバ３００または基地局のうち少なくとも一つと有線及び／又は無線信号を送受信することができる。該有線及び／又は無線信号は、漫画データまたは統計データを含む多様な形態のデータを含んでもよい。すなわち、通信部５１０は、漫画データ表示装置１００に漫画データまたは統計データを送信することができ、漫画データ提供装置２００に統計データを送信することができ、サーバ３００に漫画データまたは統計データを送信することができる。また、通信部５１０は、漫画データ提供装置２００から漫画データを受信することができ、サーバ３００から漫画データを受信することができる。通信部５１０は、制御部５２０で生成した統計データを、漫画データ表示装置１００、漫画データ提供装置２００、サーバ３００または基地局のうち少なくとも一つに送信することができる。
【００３６】
統計データ提供装置５００がサーバ３００内に含まれる場合、通信部５１０は、ユーザの漫画読書パターンに係わるデータを漫画データ表示装置１００から受信される。
【００３７】
通信部５１０は、漫画データ表示装置１００、漫画データ提供装置２００、サーバ３００または基地局のうち少なくとも一つと有線及び／又は無線連結を介して、漫画データまたは統計データを含む多様な形態のデータを送受信するために必要なハードウェア及びソフトウェアを含む装置でもある。
【００３８】
制御部５２０は、一般的に、統計データ提供装置５００の全般的な動作を制御することができる。例えば、制御部５２０は、統計データ提供装置５００に含まれるメモリに保存されたプログラムを実行することにより、通信部５１０を全般的に制御することができる。このとき、該メモリは、磁気記録媒体（magnetic  storage  media）またはフラッシュ記録媒体（flash  storage  media）を含んでもよいが、本発明の範囲は、それらに限定されるものではない。
【００３９】
制御部５２０は、プロセッサのように、データを処理することができる全ての種類の装置を含んでもよい。ここで、「プロセッサ」は、例えば、プログラム内に含まれたコードまたは命令によって表現された機能を遂行するために、物理的に構造化された回路を有する、ハードウェアに内蔵されたデータ処理装置を意味する。かように、ハードウェアに内蔵されたデータ処理装置の一例として、マイクロプロセッサ、中央処理装置（ＣＰＵ：central  processing  unit）、プロセッサコア、マルチプロセッサ、ＡＳＩＣ（application  specific  integrated  circuit）、ＦＰＧＡ（field  programmable  gate  array）などの処理装置を網羅することができるが、本発明の範囲は、それらに限定されるものではない。
【００４０】
制御部５２０は、ユーザが漫画データを読むとき、ユーザの漫画読書パターンを分析することができる。ユーザの漫画読書パターンには、ユーザが漫画データを読むとき、クリックまたはタッチを行う回数、クリックまたはタッチを行う位置、漫画データでのスクロール遂行の有無、スクロールを遂行する回数、またはスクロール速度のうち少なくとも一つが含まれる。
【００４１】
制御部５２０は、ユーザの漫画読書パターンを分析し、ユーザの漫画読書情報を獲得することができる。該漫画読書情報には、ユーザが漫画データを読むのに消費した時間、ユーザが漫画データを反復して読んだ回数、ユーザが漫画データの読書中、逆方向にスクロールを行った回数、ユーザが漫画データの読書中、逆方向にスクロールを行ったカットの種類、ユーザが中間に読むことを中断した漫画データの種類、ジャンル、あるいは中断した位置、ユーザが反復して見た漫画データの種類あるいはジャンル、ユーザが漫画データを読んだ後のコメント作成の有無、ユーザが作成したコメントが肯定的な内容であるか、あるいは否定的な内容であるかということ、ユーザが漫画データにフィードバックを残したか否かということ、ユーザが残したフィードバックが肯定的なものであるか、あるいは否定的なものであるかということ、ユーザが漫画データを視聴する場所、ユーザが漫画データを視聴する時間帯、またはユーザの視線位置のうち少なくとも一つが含まれてもよい。漫画読書情報にユーザの視線位置が含まれる場合、統計データ提供装置５００は、ユーザの視線位置を検出することができるセンサを含んでもよく、制御部５２０は、当該センサを制御し、ユーザの視線位置を検出することができる。
【００４２】
制御部５２０は、ユーザの漫画読書情報から、ユーザの統計データを生成することができる。
【００４３】
制御部５２０は、ユーザの漫画読書情報自体をユーザの統計データとして決定することができる。すなわち、ユーザが漫画データを読むのに消費した時間、またはユーザが漫画データを反復して読んだ回数などのユーザの漫画読書情報は、それ自体で統計データの機能を遂行することができるので、漫画読書情報自体を統計データとして決定することができる。
【００４４】
また、制御部５２０は、ユーザの漫画読書情報を数値化し、ユーザの統計データを生成することもできる。このとき、数値化された統計データの数値は、漫画家や漫画データ提供者の立場から見るとき、ユーザの漫画読書情報が肯定的であるか、あるいは否定的であるかということを示す数値でもある。ユーザの漫画読書情報が肯定的であればあるほど、数値化された統計データの数値を高く決定する場合の例示を挙げれば、ユーザが漫画データを読むのに消費した時間に比例するように数値を決定することができる。また、ユーザが漫画データを反復して読んだ回数に比例するように数値を決定することができる。また、ユーザが逆方向にスクロールを行った回数に比例するように数値を決定することができる。また、ユーザが漫画データの読書が完了する前に読書を中断した場合には、数値を低く決定することができる。また、ユーザが漫画データを読んだ後、コメントを作成した場合には、数値を高く決定することができる。このとき、ユーザが否定的な内容のコメントを作成した場合には、数値を低く決定することができる。また、ユーザが漫画データに「いいね」または「嫌だね」のように表示されるフィードバックを残した場合には、数値を高く決定することができる。このとき、ユーザが「嫌だね」のように否定的なフィードバックを残した場合には、数値を低く決定することができる。
【００４５】
制御部５２０で生成した統計データは、通信部５１０を介して、漫画データ表示装置１００、漫画データ提供装置２００、サーバ３００または基地局のうち少なくとも一つに送信される。それを介して、統計データ提供装置５００は、外部装置に統計データを提供することができる。
【００４６】
制御部５２０は、互いに異なるユーザを区分し、各ユーザ別に、漫画読書パターンを分析することができ、各ユーザ別に、漫画読書情報を獲得することができる。例えば、制御部５２０は、第１ユーザの漫画読書パターンを分析し、第１漫画読書情報を獲得することができ、制御部５２０は、第１ユーザと異なる第２ユーザの漫画読書パターンを分析し、第２漫画読書情報を獲得することができる。その場合、制御部５２０は、互いに異なるユーザを区分し、各ユーザ別に、統計データを生成することができる。例えば、制御部５２０は、第１漫画読書情報から第１統計データを生成することができ、制御部５２０は、第２漫画読書情報から第２統計データを生成することができる。該第１統計データ及び第２統計データは、互いに区分され、通信部５１０を介して、漫画データ表示装置１００、漫画データ提供装置２００またはサーバ３００のうち少なくとも一つに送信される。それを介して、統計データ提供装置５００は、外部装置に、ユーザ別に区分された統計データを提供することができる。
【００４７】
制御部５２０は、互いに異なる漫画データを区分し、各漫画データに対するユーザの漫画読書パターンを分析することができ、ユーザの各漫画データ別漫画読書情報を獲得することができる。例えば、制御部５２０は、第１ユーザが第１漫画データを読むときの漫画読書パターンを分析し、第３漫画読書情報を獲得することができ、制御部５２０は、第１漫画データと異なる第２漫画データを、第１ユーザが読むときの漫画読書パターンを分析し、第４漫画読書情報を獲得することができる。その場合、制御部５２０は、互いに異なる漫画データを区分し、各漫画データ別に統計データを生成することができる。例えば、制御部５２０は、第３漫画読書情報から第３統計データを生成することができ、制御部５２０は、第４漫画読書情報から第４統計データを生成することができる。該第３統計データ及び第４統計データは、互いに区分され、通信部５１０を介して漫画データ表示装置１００、漫画データ提供装置２００またはサーバ３００のうち少なくとも一つに送信される。それを介して、統計データ提供装置５００は、外部装置に、漫画データ別に区分された統計データを提供することができる。
【００４８】
制御部５２０は、同一シリーズの複数の漫画データ、同一ジャンルの複数の漫画データ、または同一作家が作成した複数の漫画データをユーザが読むときの漫画読書パターンを分析し、１つの統計データを生成することができる。例えば、制御部５２０は、第１ユーザが第１漫画データを読むときの漫画読書パターンを分析し、第１漫画データと同一シリーズである第２漫画データを第１ユーザが読むときの漫画読書パターンを分析し、１つの漫画読書情報を獲得することができる。その後、当該漫画読書情報から１つの統計データを生成することができる。他の例示において、制御部５２０は、第１ユーザが第１漫画データを読むときの漫画読書パターンを分析し、第５漫画読書情報を獲得することができ、第１漫画データと同一シリーズである第２漫画データを第１ユーザが読むときの漫画読書パターンを分析し、第６漫画読書情報を獲得することができる。その後、第５漫画読書情報及び第６漫画読書情報から１つの統計データを生成することができる。それを介して、統計データ提供装置５００は、同一シリーズの複数の漫画データ、同一ジャンルの複数の漫画データ、または同一作家が作成した複数の漫画データから、１つの統計データを生成することができ、生成した統計データを外部装置に提供することができる。
【００４９】
制御部５２０は、漫画データの各領域別特徴を考慮しながら、漫画読書パターンを分析することができ、互いに類似したコンテンツが存在する領域をユーザが読むときの漫画読書パターンを分析し、１つの統計データを生成することができる。例えば、漫画データの第１一部領域及び第２一部領域には、派手なエフェクトが含まれたアクションが描写されており、第３一部領域には、静寂な風景が描写されている場合を想定することができる。その場合、制御部５２０は、第１一部領域及び第２一部領域には、互いに類似したコンテンツが存在すると判断することができる。従って、制御部５２０は、第１一部領域及び第２一部領域をユーザが読むときの漫画読書パターンを分析し、１つの漫画読書情報を獲得することができ、当該漫画読書情報から、１つの統計データを生成することができる。一方、第３一部領域は、第１一部領域と互いに異なるコンテンツが存在すると判断することができる。従って、制御部５２０は、第１一部領域をユーザが読むときの漫画読書パターンを分析し、第７漫画読書情報を生成することができ、第３一部領域をユーザが読むときの漫画読書パターンを分析し、第８漫画読書情報を生成することができる。また、制御部５２０は、第７漫画読書情報から第５統計データを生成することができ、制御部５２０は、第８漫画読書情報から第６統計データを生成することができる。該第５統計データ及び第６統計データは、互いに区分され、通信部５１０を介して、漫画データ表示装置１００、漫画データ提供装置２００またはサーバ３００のうち少なくとも一つに送信される。漫画データの領域別特徴には、各領域に含まれたカットの個数、カットの内容、テキストの個数、エフェクトの個数、エフェクトの種類、登場物体の個数、登場物体の種類、広告コンテンツを含むか否かということ、または含まれた広告コンテンツの種類のうち少なくとも一つが含まれてもよい。
【００５０】
制御部５２０は、ユーザに係わる統計データを生成する過程において、当該ユーザが直接入力した情報を考慮することができる。例えば、自分が未成年者であるとユーザが直接情報を入力した場合、制御部５２０は、当該事実を指摘し、統計データを外部装置に提供することができる。ユーザが直接入力した情報は、ユーザ自分が考える自分の漫画読書速度、ユーザ自分が考える自分の文章読み速度、ユーザの年齢、ユーザが好む漫画ジャンル、ユーザがさらに長い間見たがる場面や、さらに短く見たがる場面、ユーザが好む絵の種類、ユーザの漫画読み習慣、またはユーザが未成年者、老弱者あるいは妊婦であるかということうち少なくとも一つを含んでもよい。
【００５１】
統計データ提供装置５００が漫画データ表示装置１００内に含まれる場合、制御部５２０は、漫画データが漫画データ表示装置１００のディスプレイ部に表示されるように、漫画データ表示装置１００のディスプレイ部を制御することができる。制御部５２０は、漫画データの一部領域が、漫画データ表示装置１００のディスプレイ部に表示されるように、漫画データ表示装置１００のディスプレイ部を制御することができる。ユーザから漫画データを表示せよという命令が入力された場合、制御部５２０は、漫画データの一部領域が、漫画データ表示装置１００のディスプレイ部に表示されるように、漫画データ表示装置１００のディスプレイ部を制御することができる。このとき、制御部５２０は、漫画データの最も最初の領域が漫画データ表示装置１００のディスプレイ部に表示されるように、漫画データ表示装置１００のディスプレイ部を制御することができる。もしユーザが当該漫画データの中間領域まで過去に読んだ経験がある場合、制御部５２０は、漫画データの当該中間領域が、漫画データ表示装置１００のディスプレイ部に表示されるように、漫画データ表示装置１００のディスプレイ部を制御することができる。
【００５２】
図３は、本発明の一実施形態による統計データ提供方法を概略的に図示したフローチャートである。
【００５３】
図３に図示されたフローチャートは、図２に図示された統計データ提供装置５００において、時系列的に処理される段階によって構成される。従って、以下で省略された内容であるとしても、図２で図示された構成について、以上で記述された内容は、図３に図示されたフローチャートにも適用されるということが分かる。
【００５４】
図３を参照すれば、本発明の一実施形態である、漫画データに係わる統計データを提供する方法は、ユーザが漫画データを読むとき、制御部がユーザの漫画読書パターンを分析し、漫画読書情報を獲得する段階（Ｓ１００段階）、獲得した漫画読書情報から、制御部が統計データを生成する段階（Ｓ２００段階）、及び生成した統計データを、通信部が外部装置に提供する段階（Ｓ３００段階）を含んでもよい。
【００５５】
また、本発明の一実施形態による漫画データ表示方法は、該制御部が、ユーザの視線位置を検出する段階をさらに含んでもよい。その場合、ユーザの漫画読書情報は、検出されたユーザの視線位置を含んでもよい。
【００５６】
図４Ａ及び図４Ｂは、漫画データの例示的な形態、及び漫画データが表示装置上に表示される例示的な形態を概略的に図示した図面である。
【００５７】
図４Ａ及び図４Ｂを参照すれば、第１漫画データ６００は、複数のカット６０２を含んでもよい。漫画データ表示装置１００のディスプレイ部１１０には、第１漫画データ６００の一部領域６０４が表示される。
【００５８】
第１漫画データ６００は、第１方向に第１長さＬ１の長さを有し、前記第１方向と垂直の第２方向に第２長さＬ２の長さを有する長方形の映像データでもある。このとき、第２長さＬ２は、第１長さＬ１より顕著に長い。
【００５９】
第１漫画データ６００は、複数のカット６０２を含んでもよい。複数のカット６０２それぞれは、文字、絵または写真など視覚的に認知され、相手に視覚的な形態で情報を伝達することができる客体、または当該客体の集合でもある。
【００６０】
第１漫画データ６００の一部領域６０４は、漫画データ表示装置１００のディスプレイ部１１０に表示される。すなわち、第１漫画データ６００全体が、漫画データ表示装置１００のディスプレイ部１１０に一回に全部表示され難いほど、第１漫画データ６００は、大きい映像データでもある。また、第１漫画データ６００が、第２長さＬ２が、第１長さＬ１より顕著に長い映像データでもある。従って、第１漫画データ６００の一部領域６０４だけが、一瞬間漫画データ表示装置１００のディスプレイ部１１０に表示され、第１漫画データ６００の他の領域は、他の瞬間に漫画データ表示装置１００のディスプレイ部１１０に表示される。
【００６１】
図４Ａは、漫画データの一例示形態を示したものに過ぎず、漫画データは、長方形ではない他の多角形状、あるいは円形の形態を有する映像データでもあり、漫画データは、映像データだけではなく、音データも含んでもよいが、本発明は、それらに限定されるものではない。
【００６２】
図５Ａないし図５Ｃは、本発明の一実施形態による統計データ提供装置において、統計データ生成のための漫画読書情報を獲得する例示的な方法を概略的に図示した図面である。
【００６３】
図５Ａないし図５Ｃを参照すれば、第１漫画データ６００は、第１漫画データ６００の第１一部領域６０６ａ、第２一部領域６０６ｂ、及び第３一部領域６０６ｃを含んでもよい。漫画データ表示装置１００のディスプレイ部１１０には、第１漫画データ６００の第１一部領域６０６ａ、第２一部領域６０６ｂまたは第３一部領域６０６ｃが表示される。漫画データ表示装置１００のディスプレイ部１１０には、第２漫画データの一部領域６０８が表示される。
【００６４】
統計データ提供装置５００は、漫画データ表示装置１００のディスプレイ部１１０にそれぞれの一部領域が表示される時間に関する漫画読書情報を獲得することができる。例えば、図５Ｂの最初の絵に図示されているように、漫画データ表示装置１００は、第１一部領域６０６ａをディスプレイ部１１０に表示することができる。その後、漫画データ表示装置１００のユーザの直接的あるいは間接的な命令により、第２一部領域６０６ｂを表示せよという命令が受信されれば、図５Ｂの２番目の絵に図示されているように、漫画データ表示装置１００は、第２一部領域６０６ｂをディスプレイ部１１０に表示することができる。このとき、統計データ提供装置５００は、第１一部領域６０６ａがディスプレイ部１１０に表示された時間についての情報を獲得することができる。すなわち、第１一部領域６０６ａが、ディスプレイ部１１０に、第１時間Ｔ１ほど表示された後、第２一部領域６０６ｂが、ディスプレイ部１１０に表示される状態に転換された場合、統計データ提供装置５００は、第１一部領域６０６ａが第１時間Ｔ１の間表示されたという情報を獲得することができる。
【００６５】
同様に、図５Ｂの２番目の絵に図示されているように、漫画データ表示装置１００は、第２一部領域６０６ｂをディスプレイ部１１０に表示することができる。その後、漫画データ表示装置１００のユーザの直接的あるいは間接的な命令により、第３一部領域６０６ｃを表示せよという命令が受信されれば、図５Ｂの３番目の絵に図示されているように、漫画データ表示装置１００は、第３一部領域６０６ｃをディスプレイ部１１０に表示することができる。このとき、統計データ提供装置５００は、第２一部領域６０６ｂがディスプレイ部１１０に表示された時間についての情報を獲得することができる。すなわち、第２一部領域６０６ｂがディスプレイ部１１０に第２時間Ｔ２ほど表示された後、第３一部領域６０６ｃがディスプレイ部１１０に表示される状態に転換された場合、統計データ提供装置５００は、第２一部領域６０６ｂが第２時間Ｔ２の間表示されたという情報を獲得することができる。
【００６６】
図５Ｂの３番目の絵に図示されているように、第３一部領域６０６ｃが、第１漫画データ６００の最後の領域である場合、漫画データ表示装置１００は、漫画データ表示装置１００のユーザの直接的あるいは間接的な命令により、第１漫画データ６００の表示を終了せよという命令が受信される。その場合、図５Ｂの４番目の絵に図示されているように、漫画データ表示装置１００は、第１漫画データ６００と異なる第２漫画データの一部領域６０８をディスプレイ部１１０に表示することができる。このとき、統計データ提供装置５００は、第３一部領域６０６ｃがディスプレイ部１１０に表示された時間についての情報を獲得することができる。すなわち、第３一部領域６０６ｃがディスプレイ部１１０に、第３時間Ｔ３ほど表示された後で画面転換が発生した場合、統計データ提供装置５００は、第３一部領域６０６ｃが第３時間Ｔ３の間表示されたという情報を獲得することができる。
【００６７】
統計データ提供装置５００が漫画データ表示装置１００である場合、統計データ提供装置５００は、ディスプレイ部１１０にそれぞれの一部領域が表示される時間を直接測定することができる。統計データ提供装置５００がサーバ３００である場合、統計データ提供装置５００は、漫画データ表示装置１００のディスプレイ部１１０にそれぞれの一部領域が表示される時間を直接測定することもでき、漫画データ表示装置１００から伝送されもする。
【００６８】
図５Ｂの４番目の絵においては、第１漫画データ６００と異なる第２漫画データの一部領域６０８がディスプレイ部１１０に表示される場合が図示されているが、本発明は、それに限定されず、第１漫画データ６００を含む漫画シリーズのリストがディスプレイ部１１０に表示され、第１漫画データ６００と関連性がない別個の映像がディスプレイ部１１０に表示されもする。
【００６９】
統計データ提供装置５００は、ユーザが逆方向にスクロールを行った回数、またはユーザが逆方向にスクロールを行ったカットの種類に係わる漫画読書情報を獲得することができる。例えば、図５Ｃの最初の絵に図示されているように、漫画データ表示装置１００は、第１一部領域６０６ａをディスプレイ部１１０に表示することができる。その後、漫画データ表示装置１００のユーザの直接的あるいは間接的な命令により、第２一部領域６０６ｂを表示せよという命令が受信されれば、図５Ｃの２番目の絵に図示されているように、漫画データ表示装置１００は、第２一部領域６０６ｂをディスプレイ部１１０に表示することができる。その後、漫画データ表示装置１００のユーザの直接的あるいは間接的な命令により、第３一部領域６０６ｃを表示せよという命令が受信されれば、図５Ｃの３番目の絵に図示されているように、漫画データ表示装置１００は、第３一部領域６０６ｃをディスプレイ部１１０に表示することができる。その後、漫画データ表示装置１００のユーザの直接的あるいは間接的な命令により、第２一部領域６０６ｂを再び表示せよという命令が受信されれば、図５Ｃの４番目の絵に図示されているように、漫画データ表示装置１００は、第２一部領域６０６ｂをディスプレイ部１１０に再び表示することができる。このとき、統計データ提供装置５００は、ユーザが逆方向に漫画データをスクロールせよという命令を入力した事実を検出することができる。ユーザの、逆方向に漫画データをスクロールせよという命令は、ユーザの入力装置を介した逆方向へのスクロールでもある。その場合、統計データ提供装置５００は、ユーザの逆方向へのスクロール遂行回数を獲得することができる。また、統計データ提供装置５００は、ユーザが逆方向にスクロールを行ったカットの種類に係わる情報を獲得することができる。
【００７０】
図５Ｂ及び図５Ｃでは、統計データ提供装置５００が獲得する漫画読書情報の例示として、ユーザが漫画データを読むのに消費した時間、ユーザが逆方向にスクロールを行った回数、またはユーザが逆方向にスクロールを行ったカットの種類が開示されているが、本発明は、それらに限定されるものではない。すなわち、統計データ提供装置５００が獲得することができる漫画読書情報には、ユーザが漫画データを反復して読んだ回数、ユーザが中間に読むことを中断した漫画データの種類、ジャンル、あるいは中断した位置、ユーザが反復して見た漫画データの種類あるいはジャンル、ユーザが漫画データを読んだ後のコメント作成の有無、ユーザが作成したコメントが肯定的な内容であるか、あるいは否定的な内容であるかということ、ユーザが漫画データにフィードバックを残したか否かということ、ユーザが残したフィードバックが肯定的であるか、あるいは否定的であるかということ、ユーザが漫画データを視聴する場所、ユーザが漫画データを視聴する時間帯、またはユーザの視線位置など、漫画データを読むユーザに係わる多様な情報が含まれてもよい。
【００７１】
図６Ａ及び図６Ｂは、統計データを活用する例示的な方法を概略的に図示した図面である。
【００７２】
図６Ａ及び図６Ｂを参照すれば、漫画データ表示装置１００のディスプレイ部１１０には、漫画データの一部領域が表示される。漫画データの一部領域は、第１カット６１０を含んでもよい。
【００７３】
漫画データ表示装置１００は、漫画データの一部領域を表示するとき、ユーザの統計データに基づいて、特定レイヤをディスプレイ部１１０に表示したり表示しなかったりする。例えば、統計データを参照する場合、ユーザが恐怖漫画データを読む頻度数が高い場合には、図６Ａに図示されているように、漫画データ表示装置１００は、幽霊６１２が表示される第１カット６１０ａを、ディスプレイ部１１０に表示することができる。他の例示において、統計データを参照する場合、ユーザが妊婦あるいは老弱者であるか、あるいは恐怖漫画データを嗜好しない場合には、図６Ｂに図示されているように、漫画データ表示装置１００は、幽霊６１２が表示されない第１カット６１０ｂをディスプレイ部１１０に表示することができる。漫画データ表示装置１００が、統計データに基づいて、表示したり表示しなかったりするレイヤを決定することもでき、サーバ３００が統計データに基づいて表示するレイヤだけ漫画データ表示装置１００に送信し、表示しないレイヤは、漫画データ表示装置１００に送信しない。
【００７４】
図６Ａ及び図６Ｂにおいては、統計データを活用する例示として、特定レイヤの表示の有無が開示されているが、本発明は、それに限定されるものではない。すなわち、統計データは、ユーザに勧める漫画データ選択、ユーザのスクロール動作に対応する漫画データスクロール分量の決定、特定位置への広告イメージ挿入の有無の決定、挿入する広告イメージ種類の決定、漫画家の参照用データ、または漫画提供者の参照用データなど、多様な用途に活用される。
【００７５】
以上で説明した本発明による実施形態は、コンピューター上で多様な構成要素を介して実行されるコンピュータプログラムの形態に具現され、かようなコンピュータプログラムは、コンピュータで判読可能な媒体に記録される。このとき、該媒体は、ハードディスク、プロッピィーディスク及び磁気テープのような磁気媒体；ＣＤ−ＲＯＭ（compact  disc  read  only  memory）及びＤＶＤ（digital  versatile  disc）のような光記録媒体；フロプティカルディスク（floptical  disk）のような磁気−光媒体（magneto-optical  medium）；及びＲＯＭ（read-only  memory）、ＲＡＭ（random  access  memory）、フラッシュメモリのような、プログラム命令語を保存して実行するように特別に構成されたハードウェア装置を含んでもよい。さらに、該媒体は、ネットワーク上で伝送可能な形態によって具現される無形の媒体を含んでもよく、例えば、ソフトウェア形態またはアプリケーション形態によって具現され、ネットワークを介して伝送及び流通が可能な形態の媒体でもある。
【００７６】
なお、前記コンピュータプログラムは、本発明のために特別に設計されて構成されたものであってもよく、コンピュータソフトウェア分野の当業者に公知されて使用可能なものであってもよい。該コンピュータプログラムの例には、コンパイラによって作られるような機械語コードだけではなく、インタープリタなどを使用して、コンピュータによって実行される高級言語コードが含まれてもよい。
【００７７】
本発明で説明する特定実行は、一実施形態であり、いなかる方法によっても、本発明の範囲を限定するものではない。明細書の簡潔さのために、従来の電子的な構成、制御システム、ソフトウェア、前記システムの他の機能的な側面の記載は省略する。また、図面に図示された構成要素間の線の連結または連結部材は、機能的な連結及び／または物理的または回路的な連結を例示的に示したものであり、実際の装置においては、代替可能であったり追加されたりする多様な機能的な連結、物理的な連結または回路の連結としても示される。また、「必須な」、「重要に」のような具体的な言及がなければ、本発明の適用のために必ずしも必要な構成要素ではないこともある。
【００７８】
従って、本発明の思想は、前述の実施形態に限って決められるものではなく、後述する特許請求の範囲だけではなく、該特許請求の範囲と均等であるか、あるいはそこから等価的に変更された全ての範囲は、本発明の思想の範疇に属するものであるといえる。
【産業上の利用可能性】
【００７９】
本発明の実施形態は、統計データ提供方法及び統計データ提供装置に係り、互いに異なるユーザ、または互いに異なる漫画データから生成した統計データを互いに区分して提供し、ユーザの漫画読書時間、反復読書の有無、読書中断の有無、コメント作成の有無、またはフィードバックの有無などを考慮して生成した統計データを提供することにより、漫画データを鑑賞する人々の多様な特徴に係わる統計を提供する統計データ提供方法及び統計データ提供装置に利用可能である。
【図１】
0006681921.tif 000002
【図２】
0006681921.tif 000003
【図３】
0006681921.tif 000004
【図４Ａ】
0006681921.tif 000005
【図４Ｂ】
0006681921.tif 000006
【図５Ａ】
0006681921.tif 000007
【図５Ｂ】
0006681921.tif 000008
【図５Ｃ】
0006681921.tif 000009
【図６ａ】
0006681921.tif 000010
【図６ｂ】
0006681921.tif 000011